(57)【特許請求の範囲】
【請求項１】
頂部箱体を含み、前記頂部箱体の底部には旋転門が回転可能に設置され、前記旋転門の左右部が開口しており、前記旋転門の中には内門が回転可能に設置され、前記内門の前後部が開口しており、前記内門の左右側の内壁と頂壁には第一検査機構が固定的に設置され、前記第一検査機構により前記内門に立っている人が持ち込み禁止品を持っているかどうかを検知でき、もし持ち込み禁止品を持っている場合、前記旋転門が人を前記内門の中に閉じ込め、前記旋転門の右側には検査箱体が固定的に設置され、前記検査箱体の中には運送空間が設置され、前記運送空間の側壁には外部と連通した不合格空間が設置され、前記運送空間において底部に近接するところには前後対称となった二つのプーリが回転可能に設置され、二つの前記プーリが運送ベルトによって連結され、前記運送ベルトにより荷物を運送でき、前記運送空間の頂壁には第二検査機構が固定的に設置され、前記第二検査機構により荷物に持ち込み禁止品が入っているかどうかを検知でき、前記運送空間の左側には押し板がスライド可能に設置され、前記押し板により持ち込み禁止品が入っていた荷物が右方へ前記運送空間から押し出され、前記頂部箱体の中には動力空間が設置され、前記動力空間の中にはスライダが上下スライド可能に設置され、前記スライダの中には動力モータが嵌め込まれており、前記動力モータが前記内門、前記旋転門及び前記プーリの回転を制御できることを特徴とする交通運輸用の自動保安検査機。
【請求項２】
前記頂部箱体の中には従動空間が設置され、前記従動空間の底壁には回転円形カバーが回転可能に設置され、前記回転円形カバーの底端が前記旋転門の上面と固定され、前記回転円形カバーの頂端には第一傘歯車が固定的に設置され、前記回転円形カバーの中には上下方向に延在する縦軸が回転可能に設置され、前記縦軸が下方へ前記回転円形カバーを貫通して前記内門の上面と固定され、前記動力モータの左側には第一動力傘歯車が伝動可能に連結され、前記縦軸において上方への延伸部分の外周には第二傘歯車が固定的に設置され、前記第一動力傘歯車はそれぞれ前記第一傘歯車または前記第二傘歯車と噛み合うことができることを特徴とする請求項１に記載の交通運輸用の自動保安検査機。
【請求項３】
前記動力空間の上下内壁にはいずれも電磁石が固定的に設置され、前記電磁石が前記スライダを上方または下方へスライドさせることができ、前記頂部箱体の上面には押しブロックが固定的に設置され、前記押しブロックと前記スライダとがばねによって連結され、前記ばねが前記スライダの重力を相殺できるため、前記スライダが前記動力空間の中の中央に位置していることを特徴とする請求項２に記載の交通運輸用の自動保安検査機。
【請求項４】
前記スライダの中には矩形空間が設置され、前記矩形空間の中にはスプラインスリーブが回転可能に設置され、前記スプラインスリーブの外周には第三傘歯車が固定的に設置され、前記動力モータの右側には前記矩形空間の中に位置している第二動力傘歯車が伝動可能に連結され、前記第二動力傘歯車が前記第三傘歯車と噛み合っており、前記動力空間の中には上下方向に延在するスプライン軸が回転可能に設置され、前記スプライン軸が前記スプラインスリーブとスプラインにより連結され、前記スプライン軸の底端には第四傘歯車が固定的に設置されていることを特徴とする請求項３に記載の交通運輸用の自動保安検査機。
【請求項５】
前記運送空間の左側に位置する前記検査箱体の中にはベルト空間が設置され、前記ベルト空間の右壁には横軸が回転可能に設置され、前記横軸の右端には第五傘歯車が固定的に設置され、前記第五傘歯車が前記第四傘歯車と噛み合っており、後側にある前記プーリの中には回転軸が固定的に設置され、前記回転軸が前記検査箱体と回転可能に連結され、前記回転軸が左方へ前記ベルト空間の中に延在しており、前記回転軸と前記横軸とがベルトによって連結され、前記プーリの右側には運送機構が回転可能に設置され、前記運送機構の後端が前記回転軸の右端と伝動可能に連結されていることを特徴とする請求項４に記載の交通運輸用の自動保安検査機。
【請求項６】
前記運送空間の頂部にはクランク空間が設置され、前記クランク空間の中にはクランク軸が回転可能に設置され、前記押し板の頂部にはＴ型スライダが固定的に設置され、前記Ｔ型スライダと前記クランク軸とがコンロッドによって連結され、前記クランク空間の底壁には推動モータが嵌め込まれており、前記推動モータが前記クランク軸の底端と伝動可能に連結されていることを特徴とする請求項５に記載の交通運輸用の自動保安検査機。
【発明の詳細な説明】
【技術分野】
【０００１】
本願発明は交通運輸技術分野を取り上げて、具体的には交通運輸用の自動保安検査機である。
【背景技術】
【０００２】
経済の発展に伴い、人々の生活水準が上がりつつあり、そして生活に対する要求も高まり、それで交通機関を利用して旅行したり外出したりする人が増えていき、その中、大半の人はバスや電車、飛行機などの交通手段を選ぶ。しかし、バスのような公共交通機関を利用する場合、乗客の安全を守るために、保安検査を行わなければならない。従来の検査方法は、検査員が探知機を持ってボディチェックを行うことであり、この操作が人力に頼る一方、乗客は背中を向けて検査を受ける必要があるため、時間も力もかかり、また、もし荷物に出し忘れの液体物や危険物と思われるものが入っていた場合、係員から荷物を開けるよう指示されることになる恐れがあり、不便をもたらしてしまう。
【先行技術文献】
【特許文献】
【０００３】
【特許文献１】中国特許出願公開第１０６４２９２２１号明細書
【発明の概要】
【発明が解決しようとする課題】
【０００４】
本願は交通運輸用の自動保安検査機を提供し、従来技術における上記欠点を解消することを目的とする。
【課題を解決するための手段】
【０００５】
本願発明の交通運輸用の自動保安検査機は、頂部箱体を含み、前記頂部箱体の底部には旋転門が回転可能に設置され、前記旋転門の左右部が開口しており、前記旋転門の中には内門が回転可能に設置され、前記内門の前後部が開口しており、前記内門の左右側の内壁と頂壁には第一検査機構が固定的に設置され、前記第一検査機構により前記内門に立っている人が持ち込み禁止品を持っているかどうかを検知でき、もし持ち込み禁止品を持っている場合、前記旋転門が人を前記内門の中に閉じ込め、前記旋転門の右側には検査箱体が固定的に設置され、前記検査箱体の中には運送空間が設置され、前記運送空間の側壁には外部と連通した不合格空間が設置され、前記運送空間において底部に近接するところには前後対称となった二つのプーリが回転可能に設置され、二つの前記プーリが運送ベルトによって連結され、前記運送ベルトにより荷物を運送でき、前記運送空間の頂壁には第二検査機構が固定的に設置され、前記第二検査機構により荷物に持ち込み禁止品が入っているかどうかを検知でき、前記運送空間の左側には押し板がスライド可能に設置され、前記押し板により持ち込み禁止品が入っていた荷物が右方へ前記運送空間から押し出され、前記頂部箱体の中には動力空間が設置され、前記動力空間の中にはスライダが上下スライド可能に設置され、前記スライダの中には動力モータが嵌め込まれており、前記動力モータが前記内門、前記旋転門及び前記プーリの回転を制御できる。
【０００６】
一つの実施例において、前記頂部箱体の中には従動空間が設置され、前記従動空間の底壁には回転円形カバーが回転可能に設置され、前記回転円形カバーの底端が前記旋転門の上面と固定され、前記回転円形カバーの頂端には第一傘歯車が固定的に設置され、前記回転円形カバーの中には上下方向に延在する縦軸が回転可能に設置され、前記縦軸が下方へ前記回転円形カバーを貫通して前記内門の上面と固定され、前記動力モータの左側には第一動力傘歯車が伝動可能に連結され、前記縦軸において上方への延伸部分の外周には第二傘歯車が固定的に設置され、前記第一動力傘歯車はそれぞれ前記第一傘歯車または前記第二傘歯車と噛み合うことができる。
【０００７】
一つの実施例において、前記動力空間の上下内壁にはいずれも電磁石が固定的に設置され、前記電磁石が前記スライダを上方または下方へスライドさせることができ、前記頂部箱体の上面には押しブロックが固定的に設置され、前記押しブロックと前記スライダとがばねによって連結され、前記ばねが前記スライダの重力を相殺できるため、前記スライダが前記動力空間の中の中央に位置している。
【０００８】
一つの実施例において、前記スライダの中には矩形空間が設置され、前記矩形空間の中にはスプラインスリーブが回転可能に設置され、前記スプラインスリーブの外周には第三傘歯車が固定的に設置され、前記動力モータの右側には前記矩形空間の中に位置している第二動力傘歯車が伝動可能に連結され、前記第二動力傘歯車が前記第三傘歯車と噛み合っており、前記動力空間の中には上下方向に延在するスプライン軸が回転可能に設置され、前記スプライン軸が前記スプラインスリーブとスプラインにより連結され、前記スプライン軸の底端には第四傘歯車が固定的に設置されている。
【０００９】
一つの実施例において、前記運送空間の左側に位置する前記検査箱体の中にはベルト空間が設置され、前記ベルト空間の右壁には横軸が回転可能に設置され、前記横軸の右端には第五傘歯車が固定的に設置され、前記第五傘歯車が前記第四傘歯車と噛み合っており、後側にある前記プーリの中には回転軸が固定的に設置され、前記回転軸が前記検査箱体と回転可能に連結され、前記回転軸が左方へ前記ベルト空間の中に延在しており、前記回転軸と前記横軸とがベルトによって連結され、前記プーリの右側には運送機構が回転可能に設置され、前記運送機構の後端が前記回転軸の右端と伝動可能に連結されている。
【００１０】
一つの実施例において、前記運送空間の頂部にはクランク空間が設置され、前記クランク空間の中にはクランク軸が回転可能に設置され、前記押し板の頂部にはＴ型スライダが固定的に設置され、前記Ｔ型スライダと前記クランク軸とがコンロッドによって連結され、前記クランク空間の底壁には推動モータが嵌め込まれており、前記推動モータが前記クランク軸の底端と伝動可能に連結されている。
【発明の効果】
【００１１】
本願発明は内門の回転により、第一検査機構が通過した人に全面的な検査をより精確に行い、従来の探知機を利用して行われた検査と比べて、より便利であり、また、乗客は背中を向ける必要がなく、もし持ち込み禁止品が入っていた場合、旋転門により乗客を内門の中に閉じ込めることで、ほかの人の安全を保証でき、その他、荷物を検査する時に持ち込み禁止品が入っていた荷物が押し板により押し出されるため、人力操作が要らなくなり、要するに、本願発明は構造と操作が簡単で、伝動が安定しており、コストが低くて安全性が高い。
【図面の簡単な説明】
【００１２】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１３】
【図１】図１は本願発明の内部の全体構成模式図
【図２】図２は図１におけるＡの部分拡大模式図
【図３】図３は願発明の検査箱体の拡大模式図
【発明を実施するための形態】
【００１４】
図１〜３を参照し、本願発明の交通運輸用の自動保安検査機は、頂部箱体１０を含み、前記頂部箱体１０の底部には旋転門１２が回転可能に設置され、前記旋転門１２の左右部が開口しており、前記旋転門１２の中には内門１４が回転可能に設置され、前記内門１４の前後部が開口しており、前記内門１４の左右側の内壁と頂壁には第一検査機構１５が固定的に設置され、前記第一検査機構１５により前記内門１４に立っている人が持ち込み禁止品を持っているかどうかを検知でき、もし持ち込み禁止品を持っている場合、前記旋転門１２が人を前記内門１４の中に閉じ込め、前記旋転門１２の右側には検査箱体２０が固定的に設置され、前記検査箱体２０の中には運送空間４５が設置され、前記運送空間４５の側壁には外部と連通した不合格空間４６が設置され、前記運送空間４５において底部に近接するところには前後対称となった二つのプーリ４８が回転可能に設置され、二つの前記プーリ４８が運送ベルト５１によって連結され、前記運送ベルト５１により荷物を運送でき、前記運送空間４５の頂壁には第二検査機構７５が固定的に設置され、前記第二検査機構７５により荷物に持ち込み禁止品が入っているかどうかを検知でき、前記運送空間４５の左側には押し板４４がスライド可能に設置され、前記押し板４４により持ち込み禁止品が入っていた荷物が右方へ前記運送空間４５から押し出され、前記頂部箱体１０の中には動力空間６０が設置され、前記動力空間６０の中にはスライダ３０が上下スライド可能に設置され、前記スライダ３０の中には動力モータ２７が嵌め込まれており、前記動力モータ２７が前記内門１４、前記旋転門１２及び前記プーリ４８の回転を制御できる。
【００１５】
好ましくは、前記頂部箱体１０の中には従動空間５５が設置され、前記従動空間５５の底壁には回転円形カバー２５が回転可能に設置され、前記回転円形カバー２５の底端が前記旋転門１２の上面と固定され、前記回転円形カバー２５の頂端には第一傘歯車２４が固定的に設置され、前記回転円形カバー２５の中には上下方向に延在する縦軸２３が回転可能に設置され、前記縦軸２３が下方へ前記回転円形カバー２５を貫通して前記内門１４の上面と固定され、前記動力モータ２７の左側には第一動力傘歯車２６が伝動可能に連結され、前記縦軸２３において上方への延伸部分の外周には第二傘歯車２２が固定的に設置され、前記第一動力傘歯車２６はそれぞれ前記第一傘歯車２４または前記第二傘歯車２２と噛み合うことができ、そして前記旋転門１２または前記内門１４を回転させることができる。
【００１６】
好ましくは、前記動力空間６０の上下内壁にはいずれも電磁石２８が固定的に設置され、前記電磁石２８が前記スライダ３０を上方または下方へスライドさせることができ、前記頂部箱体１０の上面には押しブロック１１が固定的に設置され、前記押しブロック１１と前記スライダ３０とがばね２９によって連結され、前記ばね２９が前記スライダ３０の重力を相殺できるため、前記スライダ３０が前記動力空間６０の中の中央に位置している。
【００１７】
好ましくは、前記スライダ３０の中には矩形空間３４が設置され、前記矩形空間３４の中にはスプラインスリーブ３１が回転可能に設置され、前記スプラインスリーブ３１の外周には第三傘歯車３２が固定的に設置され、前記動力モータ２７の右側には前記矩形空間３４の中に位置している第二動力傘歯車３３が伝動可能に連結され、前記第二動力傘歯車３３が前記第三傘歯車３２と噛み合っており、前記動力空間６０の中には上下方向に延在するスプライン軸５７が回転可能に設置され、前記スプライン軸５７が前記スプラインスリーブ３１とスプラインにより連結され、前記スプライン軸５７の底端には第四傘歯車３６が固定的に設置されている。
【００１８】
好ましくは、前記運送空間４５の左側に位置する前記検査箱体２０の中にはベルト空間６５が設置され、前記ベルト空間６５の右壁には横軸３８が回転可能に設置され、前記横軸３８の右端には第五傘歯車３７が固定的に設置され、前記第五傘歯車３７が前記第四傘歯車３６と噛み合っており、後側にある前記プーリ４８の中には回転軸４７が固定的に設置され、前記回転軸４７が前記検査箱体２０と回転可能に連結され、前記回転軸４７が左方へ前記ベルト空間６５の中に延在しており、前記回転軸４７と前記横軸３８とがベルト３９によって連結され、前記プーリ４８の右側には運送機構４９が回転可能に設置され、前記運送機構４９の後端が前記回転軸４７の右端と伝動可能に連結され、前記回転軸４７の回転により、前記運送ベルト５１が回転し、前記運送機構４９を作動させる。
【００１９】
好ましくは、前記運送空間４５の頂部にはクランク空間５０が設置され、前記クランク空間５０の中にはクランク軸４２が回転可能に設置され、前記押し板４４の頂部にはＴ型スライダ４０が固定的に設置され、前記Ｔ型スライダ４０と前記クランク軸４２とがコンロッド４１によって連結され、前記クランク空間５０の底壁には推動モータ４３が嵌め込まれており、前記推動モータ４３が前記クランク軸４２の底端と伝動可能に連結され、前記推動モータ４３が作動することで、前記押し板４４が持ち込み禁止品が入っていた荷物を前記不合格空間４６の中に押し込む。
【００２０】
使用時、乗客が内門１４の中に入り、荷物を運送ベルト５１に載せ、そして頂部の電磁石２８を作動させることで、動力モータ２７が上昇し、第一動力傘歯車２６と第二傘歯車２２とを噛み合わせ、動力モータ２７が制御されて作動し、縦軸２３を回転させ、内門１４が連動して回転し、第一検査機構１５を回転させることで検査を行い、乗客が持ち込み禁止品を持っていない場合、底部の電磁石２８が作動し、動力モータ２７を下降させることで、第一動力傘歯車２６と第一傘歯車２４とが噛み合い、回転円形カバー２５を回転させ、旋転門１２を回転させることで、旋転門１２と内門１４を連通させ、そして乗客が内門１４を離れられ、逆に、第一検査機構１５により内門１４にいる乗客が持ち込み禁止品を持っていることを検知したら、旋転門１２が回転しなく、乗客が内門１４の中に閉じ込められて通行できない。
【００２１】
荷物を検査するには、まず上下二つの電磁石２８が同時に作動し、スライダ３０を動力空間６０の中の中央に位置させ、即ち第一動力傘歯車２６が第一傘歯車２４及び第二傘歯車２２と噛み合わなく、この時に動力モータ２７を作動させることで、第二動力傘歯車３３が第三傘歯車３２を回転させ、スプライン軸５７が連動して回転し、第四傘歯車３６を回転させ、横軸３８を回転させることで、回転軸４７が回転し、プーリ４８が回転軸４７につれて回転し、そして運送ベルト５１が荷物を後方へ運送すると同時に、第二検査機構７５により荷物を検査し、もし荷物に持ち込み禁止品が入っている場合、推動モータ４３を作動させることで、クランク軸４２がＴ型スライダ４０をスライドさせ、Ｔ型スライダ４０が押し板４４を押してスライドさせ、そして押し板４４が荷物を運送空間４５から不合格空間４６に押し込む。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本願は交通運輸用の自動保安検査機を開示した。
【解決手段】
本願発明の交通運輸用の自動保安検査機は、頂部箱体を含み、前記頂部箱体の底部には旋転門が回転可能に設置され、前記旋転門の左右部が開口しており、前記旋転門の中には内門が回転可能に設置され、本願発明は内門の回転により、第一検査機構が通過した人に全面的な検査をより精確に行い、従来の探知機を利用して行われた検査と比べて、より便利であり、また、乗客は背中を向ける必要がなく、もし持ち込み禁止品が入っていた場合、旋転門により乗客を内門の中に閉じ込めることで、ほかの人の安全を保証でき、その他、荷物を検査する時に持ち込み禁止品が入っていた荷物が押し板により押し出されるため、人力操作が要らなくなり、要するに、本願発明は構造と操作が簡単で、伝動が安定しており、コストが低くて安全性が高い。
【選択図】図１【図１】
0006807512.tif 000002
【図２】
0006807512.tif 000003
【図３】
0006807512.tif 000004